(57)【特許請求の範囲】
【請求項１】
試料の反応を検出するためのセンサ面に前記試料を含む試料溶液を送液する複数の流路が形成され、底面が前記センサ面と当接して配置される略直方体状の本体を持ち、前記各流路は、前記底面に形成され前記試料溶液を前記センサ面に接触させながら流す溝部を持ち、この溝部の両端に前記本体の上面に形成された１対の出入口が接続される流路ブロックにおいて、
前記各流路を、互いに隣接する２つの前記流路からなり、これら２つの前記流路が流れ方向に対して並列的に配置されるとともに、前記本体の長手方向に前記溝部の一部のみを重ねた少なくとも１組の流路セットで構成したことを特徴とする流路ブロック。
【請求項２】
前記流路セットに含まれる前記各流路は、前記溝部の両端を結ぶ直線が前記長手方向と略平行になるように並べられているとともに、前記溝部が略直線状に形成されていることを特徴とする請求項１記載の流路ブロック。
【請求項３】
前記流路セットに含まれる前記各流路は、前記長手方向と略平行な基準直線を横切るように並べられていることを特徴とする請求項１記載の流路ブロック。
【請求項４】
前記基準直線は、前記本体の前記長手方向の中心線であって、
前記流路セットに含まれる前記各流路は、前記溝部の両端を結ぶ直線が前記基準直線を斜めに横切るとともに、その交点から前記各出入口までの距離が等しくなるように配置されていることを特徴とする請求項３記載の流路ブロック。
【請求項５】
前記溝部が、直線状に形成されていることを特徴とする請求項４記載の流路ブロック。
【請求項６】
前記溝部が、クランク状に屈曲して形成されていることを特徴とする請求項４記載の流路ブロック。
【請求項７】
前記流路セットに含まれる前記各流路は、前記溝部の両端を結ぶ直線が前記基準直線と平行であることを特徴とする請求項３記載の流路ブロック。
【請求項８】
前記流路セットは、前記溝部が前記基準直線に向かって略くの字状に屈曲して形成されるとともに、前記基準直線を挟んで互いに対向する２つの前記流路からなることを特徴とする請求項７記載の流路ブロック。
【請求項９】
前記流路セットは、前記溝部が略Ｓ字状に屈曲して形成されるとともに、前記基準直線を挟んで互いに対向し、かつ点対称に配置された２つの前記流路からなることを特徴とする請求項７記載の流路ブロック。
【請求項１０】
前記センサ面と前記底面との当接状態を維持するために、前記センサ面が形成された部材を保持する保持部を前記本体と一体に設けたことを特徴とする請求項１から９のいずれか１項に記載の流路ブロック。
【請求項１１】
前記本体のうち少なくとも前記溝部の周縁を構成する弾性のある軟質部材と、それ以外の部分を構成する前記軟質部材よりも硬い硬質部材とを二色成形法によって一体成形したことを特徴とする請求項１から１０のいずれか１項に記載の流路ブロック。
【請求項１２】
全反射条件を満たすように光が照射された際に、その反射光の光強度を減衰させる薄膜層が設けられた誘電体ブロックと、この誘電体ブロックに当接して、前記誘電体ブロックと対向する対向面に設けられた溝部で前記薄膜層を覆うことにより、試料溶液を前記薄膜層に送液する流路部材とを備え、前記試料溶液に溶解した試料が前記薄膜層に接触した際に、その反応状況に応じて前記減衰の生じる前記光の入射角度が変化するセンサユニットにおいて、
前記流路部材として、請求項１から１１のいずれか１項に記載の流路ブロックを用いたことを特徴とするセンサユニット。
【請求項１３】
前記流路セットに含まれる前記流路の一方を前記反応状況を表す測定信号を取得するために使用し、他方を前記測定信号の解析に用いられる参照信号を取得するために使用することを特徴とする請求項１２記載のセンサユニット。
【請求項１４】
請求項１２又は１３記載のセンサユニットが着脱自在に取り付けられるステージと、前記薄膜層に全反射条件を満たすように光を照射する光源と、前記薄膜層からの前記反射光を受光して電気信号に光電変換する検出器とを有することを特徴とする全反射減衰を利用した測定装置。
【請求項１５】
前記光源は、前記薄膜層に対して少なくとも２本の光を照射し、これらの各光を前記薄膜層と対向して配置される前記流路の前記各出入口のうち、前記試料溶液の注入が行われる一方から等距離の位置に照射することを特徴とする請求項１４記載の全反射減衰を利用した測定装置。
【発明の詳細な説明】
【技術分野】
【０００１】
本発明は、試料の反応を検出するためのセンサ面に前記試料を含む試料溶液を送液する複数の流路が形成された流路ブロックと、この流路ブロックを用いたセンサユニット、及びこのセンサユニットを用いて前記試料の反応を測定する全反射減衰を利用した測定装置に関するものである。
【背景技術】
【０００２】
タンパク質やＤＮＡなどの生化学物質間における相互作用の測定や、薬品のスクリーニングなどを行う際に、全反射減衰を利用して試料の反応を測定する測定装置が知られている。
【０００３】
このような全反射減衰を利用した測定装置の１つに、表面プラズモン共鳴（Surface Plasmon Resonance）現象を利用した測定装置（以下、ＳＰＲ測定装置と称す）がある。なお、表面プラズモンとは、金属中の自由電子が集団的に振動することによって生じ、その金属の表面に沿って進む自由電子の粗密波である。
【０００４】
例えば、特許文献１などで知られるＫｒｅｔｓｃｈｍａｎｎ配置を採用したＳＰＲ測定装置では、透明な誘電体（以下、プリズムと称す）上に形成された金属膜の表面をセンサ面として、このセンサ面上で試料を反応させた後、プリズムを介してセンサ面の裏面側から全反射条件を満たすように金属膜を照射し、その反射光を測定している。
【０００５】
全反射条件を満たすように金属膜に照射された光のうち、エバネッセント波と呼ばれるわずかな光は、反射せずに金属膜内を透過してセンサ面側に染み出す。この際、エバネッセント波の振動数と表面プラズモンの振動数とが一致するとＳＰＲが発生し、反射光の強度を大きく減衰させる。また、この減衰が発生する光の入射角度（共鳴角）は、金属膜上の屈折率に応じて変化する。すなわち、ＳＰＲ測定装置は、金属膜からの反射光を捉えて共鳴角を検出することにより、センサ面上の試料の反応状況を測定する。
【０００６】
ところで、タンパク質やＤＮＡなどの生体試料は、乾燥による変性や失活を防ぐため、生理的食塩水や純水、または各種のバッファ液などの溶媒に溶かされた試料溶液として扱われることが多い。特許文献１記載のＳＰＲ測定装置は、こうした生体試料の相互作用などを調べるものであり、センサ面の上には試料溶液を送液するための流路が設けられている。また、センサ面にはリガンドとなる試料を固定させるためのリンカー膜が設けられており、流路にリガンド溶液を注入してリンカー膜にリガンドを固定（固定工程）させた後、アナライト溶液を注入してリガンドとアナライトとを接触（測定工程）させることにより、その相互作用を測定する。
【０００７】
流路とプリズムは、装置本体に設けられた測定ステージに配置されている。前述の測定は、ガラス基板上に金属膜を形成したチップ型のセンサユニットを測定ステージにセットすることで行われる。流路には、配管（ゴムチューブなどを含む）やバルブなどを介してポンプが接続されており、このポンプによって容器に保管された試料溶液を流路内に送り込むようにしているが、この方法では、配管内に付着した試料が後に注入する試料溶液中に混入してしまう、いわゆるコンタミネーションが生じやすいという問題があった。
【０００８】
この問題を解決するため、本出願人は、先端に小孔が形成された略円錐筒状のピペットチップと、このピペットチップを着脱自在に保持するヘッド部とからなるピペットを用いて、容器に保管された試料溶液などの液体を流路に送液するＳＰＲ測定装置を提案している（例えば、特願２００４−２８８５３４号明細書参照）。このＳＰＲ測定装置では、送液する液体毎にピペットチップを交換することで、流路に液体を送り込む際に生じるコンタミネーションを防止することができる。
【０００９】
また、このＳＰＲ測定装置では、流路が形成された流路部材と、上面に金属膜が形成されたプリズムと、流路部材の底面とプリズムの上面とを接合させた状態（流路と金属膜とを対面させた状態）で保持する保持部材とからなるセンサユニットを用いている。このセンサユニットの金属膜上にも、前述と同様のリンカー膜が設けられており、リガンド溶液やアナライト溶液などの試料溶液をピペットで流路内に送り込むことによって測定が行われる。
【００１０】
リンカー膜には、リガンドとの結合基を有する測定領域と、結合基を失活させた参照領域とが形成されている。上述のＳＰＲ測定装置は、光源から測定領域と参照領域とに光を照射し、それぞれの領域からの反射光を検出器で光電変換して測定信号と参照信号とを取得している。こうして得られた２つの信号の差や比を求めて解析することにより、センサユニットの個体差や液体の温度変化などの外乱に起因するノイズをキャンセルした精度の高い測定結果を得ることができる。また、タンパク質やＤＮＡなどの生体試料では、目的としない物質がリンカー膜上に結合してしまう、いわゆる非特異吸着が問題になるが、前述の解析を行うことによって、こうした非特異吸着の影響をも抑えることができる。
【特許文献１】特許第３２９４６０５号公報
【発明の開示】
【発明が解決しようとする課題】
【００１１】
しかしながら、結合基を有する測定領域と、結合基を失活させた参照領域とでは、表面の性質が異なるため非特異吸着の量にも差が生じてしまうことがあった。このように、測定領域と参照領域との間に生じた差は、解析を行ったとしても除去することはできない。
【００１２】
また、測定領域と参照領域とを別々に形成し、それぞれ個別の流路で送液するようにすると、測定領域にのみリガンド溶液を送液できるようになる。これにより、参照領域の結合基を失活させることなく、各領域の表面の性質を合わせて非特異吸着の量に差が生じることを抑えることができるが、単に流路を分けると、センサユニットの大型化を招いてしまう。生体試料を扱うＳＰＲ測定装置では、測定精度の向上とともに、一度にたくさんの試料を測定する、いわゆるハイスループット化が大きな課題の１つであり、センサユニットの大型化は、このハイスループット化の妨げとなってしまう。
【００１３】
本発明は、上記課題を鑑みてなされたものであり、ハイスループット化を妨げることなく、非特異吸着の影響を抑えることを目的とする。
【課題を解決するための手段】
【００１４】
上記課題を達成するため、本発明の第１の態様は、試料の反応を検出するためのセンサ面に前記試料を含む試料溶液を送液する複数の流路が形成され、底面が前記センサ面と当接して配置される略直方体状の本体を持ち、前記各流路は、前記底面に形成され前記試料溶液を前記センサ面に接触させながら流す溝部を持ち、この溝部の両端に前記本体の上面に形成された１対の出入口が接続される流路ブロックにおいて、前記各流路を、互いに隣接する２つの前記流路からなり、これら２つの前記流路が流れ方向に対して並列的に配置されるとともに、前記本体の長手方向に前記溝部の一部のみを重ねた少なくとも１組の流路セットで構成したことを特徴とする。
【００１５】
なお、前記第１の態様に掛かる第２の態様としては、前記流路セットに含まれる前記各流路を、前記溝部の両端を結ぶ直線が前記長手方向と略平行になるように並べるとともに、前記溝部を略直線状に形成することが好ましい。
【００１６】
また、前記第１の態様に掛かる第３の態様としては、前記流路セットに含まれる前記各流路を、前記長手方向と略平行な基準直線を横切るように並べることが好ましい。
【００１７】
さらに、前記第３の態様に掛かる第４の態様としては、前記基準直線を前記本体の前記長手方向の中心線とし、前記流路セットに含まれる前記各流路を、前記溝部の両端を結ぶ直線が前記基準直線を斜めに横切るとともに、その交点から前記各出入口までの距離が等しくなるように配置することが好ましい。
【００１８】
なお、前記第４の態様に掛かる第５の態様としては、前記溝部が、直線状に形成されていることが好ましい。
【００１９】
また、前記第４の態様に掛かる第６の態様としては、前記溝部が、クランク状に屈曲して形成されていることが好ましい。
【００２０】
さらに、前記第３の態様に掛かる第７の態様としては、前記流路セットに含まれる前記各流路が、前記溝部の両端を結ぶ直線が前記基準直線と平行であることが好ましい。
【００２１】
なお、前記第７の態様に掛かる第８の態様としては、前記流路セットを、前記溝部が前記基準直線に向かって略くの字状に屈曲して形成されるとともに、前記基準直線を挟んで互いに対向する２つの前記流路から構成することが好ましい。
【００２２】
また、前記第７の態様に掛かる第９の態様としては、前記流路セットを、前記溝部が略Ｓ字状に屈曲して形成されるとともに、前記基準直線を挟んで互いに対向し、かつ点対称に配置された２つの前記流路から構成することが好ましい。
【００２３】
また、前記第１から第９のいずれか１つの態様に掛かる第１０の態様としては、前記センサ面と前記底面との当接状態を維持するために、前記センサ面が形成された部材を保持する保持部を前記本体と一体に設けたことが好ましい。
【００２４】
さらに、前記第１から第１０のいずれか１つの態様に掛かる第１１の態様としては、前記本体のうち少なくとも前記溝部の周縁を構成する弾性のある軟質部材と、それ以外の部分を構成する前記軟質部材よりも硬い硬質部材とを二色成形法によって一体成形することが好ましい。
【００２５】
なお、本発明のセンサユニットは、全反射条件を満たすように光が照射された際に、その反射光の光強度を減衰させる薄膜層が設けられた誘電体ブロックと、この誘電体ブロックに当接して、前記誘電体ブロックと対向する対向面に設けられた溝部で前記薄膜層を覆うことにより、試料溶液を前記薄膜層に送液する流路部材とを備え、前記流路部材として、上記流路ブロックを用いたことを特徴とする。
【００２６】
この際、前記流路セットに含まれる前記流路の一方を前記反応状況を表す測定信号を取得するために使用し、他方を前記測定信号の解析に用いられる参照信号を取得するために使用することが好ましい。
【００２７】
また、本発明の全反射減衰を利用した測定装置は、上記センサユニットが着脱自在に取り付けられるステージと、前記薄膜層に全反射条件を満たすように光を照射する光源と、前記薄膜層からの前記反射光を受光して電気信号に光電変換する検出器とを有することを特徴とする。
【００２８】
さらに、前記光源は、前記薄膜層に対して少なくとも２本の光を照射し、これらの各光を前記薄膜層と対向して配置される前記流路の前記各出入口のうち、前記試料溶液の注入が行われる一方から等距離の位置に照射することが好ましい。
【発明の効果】
【００２９】
本発明によれば、流路ブロックに含まれる複数の流路を、流れ方向に対して並列的に配置するとともに、本体の長手方向に溝部の一部のみを重ねるように配置したので、流路ブロック内に各流路を高密度に配置することが可能になる。これにより、測定領域と参照領域とで流路を個別に分けたとしてもセンサユニットの大型化を招く心配が無いので、ハイスループット化を妨げることなく、非特異吸着の影響を抑えることが可能になる。
【発明を実施するための最良の形態】
【００３０】
図１は、ＳＰＲを利用した測定に用いられるセンサユニット１０の分解斜視図である。センサユニット１０は、２つの流路２０、２１が形成された３つの流路部材（流路ブロック）１２と、上面に金属膜（薄膜層）２５が形成されたプリズム（誘電体ブロック）１４と、流路部材１２の底面とプリズム１４の上面とを接合させた状態で保持する保持部材１６とからなる。
【００３１】
流路２０は、流路部材１２の上面に２つの出入口２０ａ、２０ｂを有しており、流路部材１２の底面に形成された直線状の溝部２０ｃと、この溝部２０ｃの一端から流路部材１２の上面に貫通して出入口２０ａを形成する送排液管２０ｄと、溝部２０ｃの他端から流路部材１２の上面に貫通して出入口２０ｂを形成する送排液管２０ｅとによって、略コの字型に成形されている。なお、他方の流路２１の構成は、流路２０と同じであるから、詳細な説明は省略する。
【００３２】
流路部材１２は、略直方体状に成形された本体１２ａを有している。２つの流路２０、２１は、各溝部２０ｃ、２１ｃが、本体１２ａの長手方向に沿うとともに、この長手方向に各溝部２０ｃ、２１ｃの一部を重ねている。なお、各流路２０、２１の管径は、例えば、１ｍｍ程度であり、各出入口２０ａ、２０ｂ、及び２１ａ、２１ｂの間隔は、例えば、１０ｍｍ程度である。
【００３３】
各流路２０、２１の溝部２０ｃ、２１ｃは、流路部材１２がプリズム１４に当接した際に、金属膜２５によって覆われて密閉される。これにより、各流路２０、２１は、一方の出入口から注入された液体を、各溝部２０ｃ、２１ｃで金属膜２５に接触させながら流し、他方の出入口から排出させる。また、本体１２ａには、例えば、ゴムやＰＤＭＳ（ポリジメチルシロキサン）などといった弾性材料が用いられている。これにより、本体１２ａの底面をプリズム１４の上面に圧接させた際に、本体１２ａが弾性変形して金属膜２５との接合面の隙間を埋めるので、金属膜２５との密着性を高めることができる。なお、本例では、流路部材１２の数が３つの例で説明したが、これらの数は、３つに限らず、２つ以下でもよいし、４つ以上でもよい。また、流路部材を分けることなく、例えば、長尺状に成形された１つの流路部材に、各流路２０、２１を並べて形成するようにしてもよい。すなわち、流路部材１２に設けられた各流路２０、２１が、請求項記載の流路セットに相当している。
【００３４】
プリズム１４は、その上面に金属膜２５が形成された透明な誘電体であり、底面側から全反射条件を満たすように照射された光を上面（金属膜２５）に集光する。金属膜２５は、各流路部材１２に形成された２つの流路２０、２１と対面するように、例えば、蒸着法などによって短冊状に成形されている。この金属膜２５としては、例えば、金や銀などが使用され、その膜厚は、例えば、５０ｎｍである。なお、この膜厚は、金属膜２５の素材、プリズム１４に照射される光の波長などに応じて適宜選択される。
【００３５】
また、金属膜２５の上面には、各流路部材１２のそれぞれに対応した３つのリンカー膜２６が設けられている。リンカー膜２６は、金属膜２５の上に形成され、リガンドを固定させる結合基を有しており、固定されたリガンドとアナライトとの反応を測定する領域となる。各リンカー膜２６は、センサユニット１０の製造段階において予め形成される。各リンカー膜２６としては、例えば、カルボキシメチルデキストランなどが用いられる。これらの種類は、固定するリガンドの種類などに応じて適宜選択される。なお、本例では、各流路部材１２のそれぞれに対応した３つのリンカー膜２６を製膜するようにしているが、これに限らず、例えば、金属膜２５の全面に１つのリンカー膜を製膜するようにしてもよい。
【００３６】
ところで、ＳＰＲを利用した測定では、リンカー膜２６にリガンドを固定させ、リガンドとアナライトとの反応状況を示すＳＰＲ信号（以下、測定信号と称す）を測定する一方で、リンカー膜２６にリガンドを固定させずに、アナライトだけを送液した際のＳＰＲ信号（以下、参照信号と称す）を同時に取得し、例えば、これら２つのＳＰＲ信号の差分を取ることによって、センサユニット１０の個体差や液体の温度変化など、外乱に起因するノイズをキャンセルする補正が好ましく行われている。流路部材１２に含まれる２つの流路２０、２１は、この補正を行うために設けられたものであって、一方の流路が、測定信号を取得するために用いられるとともに、他方の流路が参照信号を取得するために用いられる。以降、本明細書においては、流路２０を測定信号用として用い、流路２１を参照信号用として用いるものとする。
【００３７】
プリズム１４の長手方向の両側面には、保持部材１６の係合部１６ａと係合する係合爪１４ａが設けられている。これらの係合により、各流路部材１２が保持部材１６とプリズム１４とによって挟み込まれ、流路部材１２の底面とプリズム１４の上面とが圧接された状態で保持される。こうして、各流路部材１２、プリズム１４、保持部材１６の各部が一体化し、センサユニット１０が構成される。
【００３８】
なお、プリズム１４には、例えば、ホウケイクラウン（ＢＫ７）やバリウムクラウン（Ｂａｋ４）などに代表される光学ガラスや、ポリメチルメタクリレート（ＰＭＭＡ）、ポリカーボネイト（ＰＣ）、非晶性ポリオレフィン（ＡＰＯ）などに代表される光学プラスチックなどを用いることができる。
【００３９】
保持部材１６の上面には、流路２０の各出入口２０ａ、２０ｂ、及び流路２１の各出入口２１ａ、２１ｂのそれぞれに対応する位置に、ピペット（図２参照）の先端が進入する受け入れ口１６ｂが形成されている。各受け入れ口１６ｂは、ピペットから吐出された液体を各流路２０、２１内に導くように、漏斗形状をしている。保持部材１６が各流路部材１２を挟み込んでプリズム１４と係合すると、各受け入れ口１６ｂの下面と、各出入口２０ａ、２０ｂ、及び２１ａ、２１ｂとが接合し、各受け入れ口１６ｂと各流路２０、２１とが連結される。
【００４０】
なお、センサユニット１０のプリズム１４や保持部材１６などに、例えば、非接触式のＩＣメモリであるＲＦＩＤ（Radio Frequency IDentification）タグなどを取り付けるようにしてもよい。例えば、読み込み専用のＲＦＩＤタグにセンサユニット１０毎の固有のＩＤ番号を書き込んでおき、各工程を行う前にこのＩＤ番号を読み込むことで、センサユニット１０の識別を行うことができる。これにより、複数のセンサユニット１０に対して同時に固定や測定を行う場合にも、間違ったアナライトの注入や、測定結果の取り違えなどといった問題の発生を防止することができる。さらには、読み書き可能なＲＦＩＤタグを用いて、例えば、固定したリガンドの種類やリガンドを固定させた日時、及び反応させたアナライトの種類などを、各工程毎に書き込んでいくようにしてもよい。
【００４１】
図２は、全反射減衰を利用した測定装置としてのＳＰＲ測定装置３０の構成を概略的に説明する説明図である。ＳＰＲ測定装置３０は、センサユニット１０の金属膜２５上での試料の反応状況に応じたＳＰＲ信号を取得する測定部３２と、センサユニット１０の各流路２０、２１に種々の液体を送液する送液ヘッド３４とから構成されている。また、これらの各部は、図示を省略したコントローラによって統括的に制御される。
【００４２】
測定部３２は、センサユニット１０に全反射条件を満足するように光を照射する２つの照明４０、４１と、センサユニット１０によって全反射した光を受光して電気信号に光電変換する検出器４２とからなる。また、各照明４０、４１と検出器４２とは、図示を省略した測定ステージに固定される。測定ステージは、例えば、台形状に成形された台座であって、各照明４０、４１と検出器４２とを全反射条件を満足する所定の角度で固定するとともに、センサユニット１０を着脱自在に保持して各照明４０、４１の光路上にセンサユニット１０を位置決めする。
【００４３】
センサユニット１０の各流路２０、２１のそれぞれに対応して設けられた２つの照明４０、４１は、全反射条件を満足する様々な入射角の光を、プリズム１４に向けて照射する。各照明４０、４１は、例えば、集光レンズ、拡散板、偏光板などからなる光学系と、光源（いずれも図示は省略）とから構成され、全反射条件を満足するとともに、図３に示すように、プリズム１４に入射して上面に集光された光が、それぞれ各溝部２０ｃ、２１ｃの中央付近と対面するように配置位置および設置角度が調整されている。なお、図３は、流路部材１２を底面側から見た説明図である。
【００４４】
各溝部２０ｃ、２１ｃと対面する金属膜２５上では、各流路２０、２１に試料溶液を送液することにより、リンカー膜２６にリガンドが固定されたり、リガンドとアナライトとが反応するなどして、屈折率に変化が生じる。測定部３２は、各照明４０、４１の光をプリズム１４の上面で各溝部２０ｃ、２１ｃの中央付近と対面する部位に集光させ、その反射光を検出器４２で受光することにより、前記屈折率の変化を調べる。以下、照明４０の照射光がプリズム１４の上面で集光された部位（図中ハッチングで示す部位）を第１測定点ｍｐ１、照明４１の照射光がプリズム１４の上面で集光された部位を第２測定点ｍｐ２と称す。
【００４５】
ところで、各流路２０、２１に液体を入れ替えるようにして送液を行うと、排出する液体が流路内に微量に残留してしまい、次に注入する液体と混ざり合ってしまうことがある。こうした混液の度合い（以下、置換率と称す）は、例えば、流路の中央付近と壁面付近や、注入する出入口の付近と排出する出入口の付近など、流路内の場所によっても変化する。このため、本例の照明４０、４１は、各溝部２０ｃ、２１ｃの中央付近に各測定点ｍｐ１、ｍｐ２が来るようにし、どちらの出入口から液体を注入した際にも、置換率に大きな差が生じないようにしている。また、こうした置換率の変化による測定誤差も、測定領域と参照領域との解析を行うことによってキャンセルすることができる。各溝部２０ｃ、２１ｃの中央付近に各測定点ｍｐ１、ｍｐ２が位置している本例では、どちらの出入口から液体を注入しても出入口からの距離が等距離になるので、第１測定点ｍｐ１と第２測定点ｍｐ２との間で置換率の差が少なくなり、前述の解析を行った際に、置換率に起因する測定誤差を確実に抑えることができるようになる。
【００４６】
各照明４０、４１の光源としては、例えば、ＬＥＤ（Light Emitting Diode）、ＬＤ（Laser Diode）、ＳＬＤ（Super Luminescent Diode）などの発光素子が使用される。各照明４０、４１は、こうした発光素子を１個使用し、この単一光源から各測定点ｍｐ１、ｍｐ２に向けて光を照射する。拡散板は、光源からの光を拡散させ、発光面内の光量ムラを抑える。偏光板は、照射光のうち、ＳＰＲを生じさせるｐ偏光のみを通過させる。なお、ＬＤを使用する場合など、光源が発する光線自体の偏光の向きが揃っている場合には、偏光板は不要である。また、偏光が揃っている光源を使用した場合でも、拡散板を通過することにより、偏光の向きが不揃いになってしまう場合には、偏光板を使用して偏光の向きを揃える。こうして拡散および偏光された光は、集光レンズによって集光されてプリズム１４に照射される。これにより、光強度にバラツキがなく様々な入射角を持つ光をセンサセル２３に入射させることができる。
【００４７】
なお、本例では２つの照明４０、４１を設けて各測定点ｍｐ１、ｍｐ２の測定を行うようにしているが、これに限ることなく、例えば、単一光源からの光を分光して各測定点ｍｐ１、ｍｐ２に照射されるようにしてもよい。また、本例では、センサユニット１０の３つの流路部材１２に含まれる各測定点ｍｐ１、ｍｐ２を個別に測定するようにしているが、さらに多くの照明を設けたり、分光したりすることによって、３つの流路部材１２に含まれる各測定点ｍｐ１、ｍｐ２を同時に測定できるようにしてもよい。
【００４８】
検出器４２には、例えば、ＣＣＤエリアセンサやフォトダイオードアレイなどが使用される。プリズム１４の長辺側の一方の側面から入射した光は、プリズム１４内を透過して内側からプリズム１４の上面（金属膜２５の裏面）に集光され、上面で全反射して他方の側面に抜ける。プリズム１４には、様々な角度の光が入射するので、プリズム１４の上面では、それらの入射光が、それぞれの入射角に応じた反射角で反射する。検出器４２は、これらの様々な角度の反射光を受光し、それらを光電変換して光強度に応じたレベルのＳＰＲ信号として出力する。また、検出器４２は、第１測定点ｍｐ１からの反射光と、第２測定点ｍｐ２から反射光とを受光し、それぞれのＳＰＲ信号を出力する。すなわち、測定部３２は、各照明４０、４１と、検出器４２とによって、２チャンネルの計測を行うことができるように構成されている。
【００４９】
検出器４２として、ＣＣＤエリアセンサを用いた場合には、各チャンネルの反射光を同時に受光することによって得られた信号を画像処理することにより、第１測定点ｍｐ１に対応したＳＰＲ信号と第２測定点ｍｐ２に対応したＳＰＲ信号とを認識することができる。しかし、こうした画像処理による方法が難しい場合には、第１測定点ｍｐ１と第２測定点ｍｐ２とに対して光を入射させるタイミングを微小時間ずらして、各チャンネルの信号を受光するようにしてもよい。入射タイミングをずらす方法としては、例えば、配置角度が１８０度ずれた位置に２つの孔が形成された円板を各照明４０、４１の光路上に配置し、この円板を回転させる。各孔は、中心からの距離が各測定点ｍｐ１、ｍｐ２の間隔だけ異なる位置に配置されており、一方の孔が光路内に進入したときには、第１測定点ｍｐ１に光線を入射させ、他方の孔が光路内に進入したときには、第２測定点ｍｐ２に光線を入射させる。これにより、各チャンネルへの入射タイミングがずらされる。なお、本例では、１つの検出器４２で各測定点ｍｐ１、ｍｐ２からの反射光を受光するようにしているが、各照明４０、４１と同様に、各測定点ｍｐ１、ｍｐ２毎に検出器を分けるようにしてもよい。
【００５０】
送液ヘッド３４には、流路２０の各出入口２０ａ、２０ｂ、及び流路２１の各出入口２１ａ、２１ｂのそれぞれにアクセスするピペット４６ａ、ピペット４６ｂの一対のピペットが設けられている。各ピペット４６ａ、４６ｂのそれぞれには、例えば、シリンジポンプが接続されており、各シリンジポンプの駆動に応じて液体の吸引と吐出とが制御される。また、送液ヘッド３４には、ヘッド移動機構３６が接続されている。ヘッド移動機構３６は、例えば、搬送ベルト、プーリ、キャリッジ、モータなどから構成される周知の移動機構であり、図示を省略したコントローラの制御の下、送液ヘッド３４を前後左右上下の３方向に移動させる。
【００５１】
送液ヘッド３４の各ピペット４６ａ、４６ｂは、先端に小孔が形成された略円錐筒状をなしており、各々の間隔が各出入口２０ａ、２０ｂ、及び２１ａ、２１ｂの間隔に対応するようにされている。また、各ピペット４６ａ、４６ｂの先端部は、交換可能なチップ状（以下、「ピペットチップ」と称す）にされている。ピペットチップは、送液する液体と直接接触するので、各ピペット４６ａ、４６ｂを介して異種の液体の混液が生じないように、送液毎に交換される。ＳＰＲ測定装置３０には、複数のピペットチップを保管するピペットチップ保管部（図示は省略）が設置されている。ピペットチップの交換は、ヘッド移動機構３６を駆動して送液ヘッド３４をピペットチップ保管部にアクセスさせることによって行われる。
【００５２】
また、ＳＰＲ測定装置３０には、各流路２０、２１へ注入する種々の液体（リガンド溶液、アナライト溶液、洗浄液、バッファ液など）を保管するウエルプレート３８が設置されている。ヘッド移動機構３６は、送液ヘッド３４を移動させて、ウエルプレート３８や測定ステージにセットされたセンサユニット１０などにアクセスさせる。
【００５３】
送液ヘッド３４には、各ピペット４６ａ、４６ｂを独立に突出させるピペット突出機構（図示は省略）が組み込まれている。送液ヘッド３４は、ウエルプレート３８にアクセスして各ウエル内の液体を吸引する際、図４（ａ）に示すように、液体を吸引するピペットのみを突出させて、ウエル内の液体に浸す。これにより、例えば、他方のピペットがウエル内に侵入して、異なる液体に浸されてしまうことなどが防止される。なお、本例では、１つのウエルプレート３８の各ウエルに異なる液体を保管するようにしているが、保管する液毎に個別のウエルプレートを設けるようにしてもよい。
【００５４】
一方、送液ヘッド３４で各流路２０、２１に液体を送液する際には、図４（ｂ）に示すように、各ピペット４６ａ、４６ｂを、流路２０の各出入口２０ａ、２０ｂ、又は、流路２１の各出入口２１ａ、２１ｂに挿し込む。送液ヘッド３４は、この状態で一方のピペットから吸引した液体を吐出し、他方のピペットから各流路２０、２１内の流体（空気や予め注入されていた液体など）を吸引することにより、各流路２０、２１内の流体を入れ換えるようにして送液を行う。
【００５５】
次に、図５に示すフローチャートを参照しながら、上記構成によるＳＰＲ測定装置３０の作用について説明する。リガンドとアナライトとの反応状況を測定する際には、まず、センサユニット１０を測定ステージにセットし、各流路部材１２のいずれかが各照明４０、４１の光路上に来るように位置決めする。ＳＰＲ測定装置３０は、センサユニット１０にリガンドを固定する固定工程と、固定したリガンドにアナライトを接触させて、その際のＳＰＲ信号を取得する測定工程と、取得したＳＰＲ信号を解析するデータ解析工程とを行って、リガンドとアナライトとの反応状況を測定する。
【００５６】
ＳＰＲ測定装置３０は、センサユニット１０がセットされた後、オペレータからの固定開始指示が入力されたことに応じて固定工程を開始する。ＳＰＲ測定装置３０のコントローラは、固定開始指示が入力されたことに応答してヘッド移動機構３６を駆動し、送液ヘッド３４をウエルプレート３８に移動させる。送液ヘッド３４をウエルプレート３８にアクセスさせたコントローラは、ピペット突出機構を駆動してピペット４６ａを突出させ、リガンド溶液を保管するウエル内にピペット４６ａを進入させる。ウエル内に進入してリガンド溶液に浸されたピペット４６ａは、所定量のリガンド溶液を吸引する。ピペット４６ａにリガンド溶液を吸引させたコントローラは、送液ヘッド３４をセンサユニット１０に移動させ、各ピペット４６ａ、４６ｂを、測定用の流路２０の各出入口２０ａ、２０ｂに挿し込む。
【００５７】
各ピペット４６ａ、４６ｂを挿し込んだコントローラは、ピペット４６ａが吐出、ピペット４６ｂが吸引を行うように、それぞれを駆動し、流路２０内にリガンド溶液を注入する。これにより、流路２０と対面するリンカー膜２６にリガンドが固定され、固定工程が終了する。なお、流路２０にリガンド溶液を注入する前に、流路２０内の洗浄やリンカー膜２６の活性化処理などを行うようにしてもよい。また、固定化が進行している間、流路２０内のリガンド溶液を静置しておいてもよいが、各ピペット４６ａ、４６ｂの吸引と吐出とを交互に駆動し、流路２０内のリガンド溶液を攪拌して流動させるようにしてもよい。こうすることで、リガンドとリンカー膜２６との結合が促進され、リガンドの固定量を増加させることができる。
【００５８】
リンカー膜２６にリガンドを固定させたＳＰＲ測定装置３０は、温度などの環境条件を一定に保った状態でセンサユニット１０を保持し、オペレータからの測定開始指示が入力されたことに応じて測定工程を開始する。コントローラは、測定開始指示が入力されたことに応答して、各照明４０、４１と検出器４２とによるデータ読み取りを開始させる。また、これと同時に、ヘッド移動機構３６を駆動して送液ヘッド３４をウエルプレート３８に移動させる。ウエルプレート３８に送液ヘッド３４を移動させたコントローラは、ピペット突出を駆動してピペット４６ａを突出させ、ピペット４６ａに所定量のアナライト溶液を吸引させる。
【００５９】
ピペット４６ａにアナライト溶液を吸引させたコントローラは、送液ヘッド３４をセンサユニット１０に移動させ、測定用の流路２０の各出入口２０ａ、２０ｂに、各ピペット４６ａ、４６ｂを挿し込む。各ピペット４６ａ、４６ｂを挿し込んだコントローラは、ピペット４６ａが吐出、ピペット４６ｂが吸引を行うように、それぞれを駆動し、流路２０内にアナライト溶液を注入する。この際、ピペット４６ａは、吸引したアナライト溶液のうち、約半分の量のみを流路２０に注入する。流路２０に半分のアナライト溶液を注入したコントローラは、送液ヘッド３４を移動させて各ピペット４６ａ、４６ｂを参照用の流路２１の各出入口２１ａ、２１ｂに挿し込み、ピペット４６ａ内に残った半分のアナライト溶液を流路２１内に注入する。このため、各ピペット４６ａ、４６ｂは、各流路２０、２１の容積に対して、２倍以上の液体を吸引保持できることが好ましい。
【００６０】
流路２０と対面するリンカー膜２６上には、リガンドが固定されており、アナライト溶液の注入に応じてリガンドとアナライトとが反応を始める。これにより、検出器４２は、第１測定点ｍｐ１からの反射光に応じたＳＰＲ信号を測定信号として取得する。一方、流路２１と対面するリンカー膜２６上には、リガンドが固定されていないので、当然、アナライトとの反応も生じない。これにより、検出器４２は、第２測定点ｍｐ２からの反射光に応じたＳＰＲ信号を参照信号として取得する。
【００６１】
各信号を取得したＳＰＲ測定装置３０は、各照明４０、４１と検出器４２とによるデータ読み取りを停止し、測定工程を終了する。なお、本例では省略したが、測定工程では、データ読み取りを開始した後、アナライト溶液を送液する前後に測定用バッファ液を各流路２０、２１に送液する。これにより、検出器４２は、基準レベル（ベースライン）の検出、アナライトとリガンドの反応状況（結合状況）、結合したアナライトとリガンドとの脱離までの各ＳＰＲ信号を取得する。
【００６２】
測定工程を終了したＳＰＲ測定装置３０は、測定信号から参照信号を差し引いて測定データを算出し、この測定データを基にしてリガンドとアナライトとの反応状況を解析する。この際、本例では、別々の流路２０、２１に各液体を送液することによって、測定信号と参照信号とを表面の性質が同じリンカー膜２６から取得するようにしたので、各信号間に非特異吸着の差が生じることはない。これにより、上記解析を行うことによって、非特異吸着の影響を確実に抑えることができる。また、各流路２０、２１を、各溝部２０ｃ、２１ｃが、流路部材１２の本体１２ａの長手方向に沿うとともに、この長手方向に各溝部２０ｃ、２１ｃの一部が重なり合うように形成したので、各流路２０、２１を高密度に配置することが可能になり、流路を分けて測定信号と参照信号とを取得するようにした際にも、センサユニット１０の大型化を招くことなく、ハイスループット化の妨げになることはない。
【００６３】
また、本例では、各溝部２０ｃ、２１ｃの中央付近に各測定点ｍｐ１、ｍｐ２を位置させ、どちらの出入口から液体を注入しても出入口からの距離が等距離になるようにしたので、第１測定点ｍｐ１と第２測定点ｍｐ２との間で置換率の差が少なくなり、前述の解析を行った際に、置換率に起因する測定誤差を確実に抑えることができる。さらに、同一流路内に測定領域と参照領域とが並べて形成されていた従来では、置換率の差を抑えるために、多くの試料溶液を流したりしていたが、本例では、解析で確実に測定誤差を抑えることができるので、無用に多くの試料溶液を流す必要がない。
【００６４】
なお、各流路２０、２１の配置方法、及び形状は、上記に限るものではない。図６に示す流路部材５０の各流路５２、５４は、それぞれ溝部５２ａ、５４ａと、その両端に形成された送排液管５２ｂ、５２ｃ、及び５４ｂ、５４ｃとから構成されている。各流路５２、５４は、各溝部５２ａ、５４ａの両端を結ぶ直線ＳＬ１、ＳＬ２が、流路部材５０の長手方向の中心線ＣＬ１（請求項記載の基準直線に相当）を斜めに横切るとともに、各溝部５２ａ、５４ａが直線状に形成されている。
【００６５】
上記実施形態では、各溝部２０ｃ、２１ｃが、流路部材１２の長手方向に沿うように各流路２０、２１を形成しているため、第１測定点ｍｐ１と第２測定点ｍｐ２とが幅方向にズレてしまう。このように各測定点ｍｐ１、ｍｐ２が幅方向にズレていると、測定にあたって、上記実施形態のように２つの照明４０、４１を設けるか、あるいは、１つの照明をズレ分だけ移動させなければならないなど、光学系の構成が複雑になってしまう。一方、図６に示す例では、各測定点ｍｐ１、ｍｐ２が中心線ＣＬ１上に並ぶようになるため、照明が一つでよいなど、光学系の構成を簡単にすることができる。また、本例の各流路５２、５４では、中心線ＣＬ１と、各直線ＳＬ１、ＳＬ２とのそれぞれの交点から、各出入口までの距離が等距離であることが好ましい。このように構成すると、各ピペット４６ａ、４６ｂを各出入口に挿し込んだ際に、挿し込みによる押圧力が左右均等に加わるようになるので、センサユニット１０の傾きを防止することができる。
【００６６】
また、図７に示す流路部材６０の各流路６２、６４のように、各溝部６２ａ、６４ａをクランク状に屈曲させるようにしてもよい。図６の各流路５２、５４では、各溝部５２ａ、５４ａが中心線ＣＬ１を斜めに横切る。これに対し、図７の各流路６２、６４では、中心線ＣＬ２を横切る部分で各溝部６２ａ、６４ａが中心線ＣＬ２に沿う。このように構成すると、各測定点ｍｐ１、ｍｐ２が、液体の置換率の悪い各溝部６２ａ、６４ａの内壁面付近に掛からないように設定することができるので、置換率に起因する測定誤差を防止して、より高精度に測定を行うことができるようになる。
【００６７】
さらには、図８に示す流路部材７０のようにしてもよい。各流路７２、７４は、それぞれ溝部７２ａ、７４ａと、その両端に形成された送排液管７２ｂ、７２ｃ、及び７４ｂ、７４ｃとから構成されている。各流路７２、７４は、各溝部７２ａ、７４ａの両端を結ぶ直線ＳＬ３、ＳＬ４が、流路部材７０の長手方向の中心線ＣＬ３と平行になっている。また、各流路７２、７４は、中心線ＣＬ３を挟んで対向するとともに、各溝部７２ａ、７４ａが、中心線ＣＬ３を横切るようにくの字状に屈曲している。
【００６８】
図６や図７に示す例では、各流路が中心線を斜めに横切るように形成されている。このため、送液ヘッド３４で液体を注入する際に、この送液ヘッド３４、もしくは各ピペット４６ａ、４６ｂを各流路の傾きに合わせなければならないなど、送液系の構成を複雑にさせてしまう。一方、図８に示す例では、各溝部７２ａ、７４ａの両端を結ぶ直線ＳＬ３、ＳＬ４が、中心線ＣＬ３と平行であるから、送液系の複雑化を招く心配が無い。なお、この流路部材７０の各流路７２、７４も、図７に示す例と同様に、中心線ＣＬ３を横切る部分（各測定点ｍｐ１、ｍｐ２に当たる部分）では、各溝部７２ａ、７４ａが中心線ＣＬと沿うように形成されることが好ましい。
【００６９】
また、図９に示す流路部材８０の各流路８２、８４のように、各溝部８２ａ、８４ａは、Ｓ字状に屈曲させるものであってもよい。図９の各流路８２、８４では、各溝部８２ａ、８４ａをＳ字状に屈曲させ、出入口を形成する各送排液管８２ｂ、８２ｃ、及び８４ｂ、８４ｃが、極力中心線ＣＬ４に近づくようにした。溝部の両端を結ぶ直線と中心線とが平行である場合、各ピペット４６ａ、４６ｂを各出入口に挿し込んだ際に、中心線を軸とした傾き力を与えてしまう。本例では、各流路８２、８４を極力中心線ＣＬ４に近づけるようにしたので、各ピペット４６ａ、４６ｂを挿し込んだ際の傾き力を抑えて、センサユニット１０の傾きに起因する測定誤差などを防止することができる。
【００７０】
なお、上記実施形態では、流路部材１２とプリズム１４とが当接した状態を保持部材１６によって保持するようにしているが、図１０及び図１１に示す流路部材９０のように、プリズム１４の係合爪１４ａと係合する係合部９０ａを設けて、流路部材９０自体がプリズム１４に組み付くようにしてもよい。これにより、流路部材９０に形成された２つの流路９２、９４と、プリズム１４との位置合わせを容易に行うことができる。
【００７１】
また、流路部材９０は、各流路９２、９４の内壁面全体を構成する弾性のある軟質部材９６と、この軟質部材９６以外の部分を構成する軟質部材９６よりも硬い硬質部材９８とから構成されている。これらの軟質部材９６と硬質部材９８とは、同一金型内で異材料どうしを組み合わせて成形する、いわゆる二色成形法（ダブルモールド）によって一体成形されている。
【００７２】
軟質部材９６は、硬質部材９８によって形成された底面よりもわずかに突出しており、プリズム１４に組み付いた際に、弾性変形して金属膜２５との隙間を埋め、各流路９２、９４の開放された底部をプリズム１４とともに水密に覆う。なお、軟質部材９６の厚みは、０．１ｍｍよりも薄いと軟質部材９６の弾性変形による水密の効果が得にくくなり、１．０ｍｍよりも厚いと軟質部材９６の弾性変形による位置ズレの弊害が大きくなるため、０．１〜１．０ｍｍ程度であることが好ましい。また、軟質部材９６の底面の突出量は、弾性を考えると０．１ｍｍ程度が好適である。
【００７３】
また、各流路９２、９４の内壁面を構成し、各流路９２、９４を流れる試料溶液と接する軟質部材９６は、試料溶液中に溶解した試料の吸着を防止するため、非特異吸着の少ない材料であることが好ましい。すなわち、軟質部材９６の材料としては、非特異吸着が少ない弾性材料を用いることが好適であって、このような材料としては、例えば、非晶質ポリオレフィンエラストマーが知られている。なお、軟質部材９６と一体成形される硬質部材９８としては、例えば、ポリプロピレンなどの晶質ポリオレフィンを用いることができる。
【００７４】
なお、本例では、軟質部材９６で各流路９２、９４の内壁面全体を構成するようにしているが、軟質部材９６は、各流路９２、９４の水密性を保つためのものであるから、最低限、各流路９２、９４の溝部の周縁を構成するものであればよい。しかしながら、本例のように各流路９２、９４の内壁面全体を構成することにより、つなぎ目による送液の不具合などを抑えることができる。また、成形する面積が増えることによって、成形性を向上させることができるとともに、一体成形された軟質部材９６が硬質部材９８から剥がれ落ちることを抑えることができる。
【００７５】
また、上記実施形態では、各工程を一つのＳＰＲ測定装置３０で行うようにしているが、各工程毎に装置を分けるようにしてもよい。こうすることで、複数のセンサユニット１０を同時に処理することが可能となり、処理効率を向上させることができる。
【００７６】
また、上記各実施形態では、誘電体ブロックとしてプリズム１４を示しているが、誘電体ブロックには、この他に、光学ガラスや光学プラスチックなどを板状にしたものや、これらの板状のものとプリズムとを光学面平滑剤（例えば、光学マッチングオイル）で一体化させたものなどを含めるものとする。
【００７７】
さらに、上記各実施形態では、全反射減衰を利用した測定装置の一例として、ＳＰＲ測定装置を示したが、全反射減衰を利用した測定装置としては、この他に、例えば、漏洩モードセンサが知られている。漏洩モードセンサは、誘電体と、この上に順に層設されたクラッド層と光導波層とによって構成された薄膜とからなり、この薄膜の一方の面がセンサ面となり、他方の面が光入射面となる。光入射面に全反射条件を満たすように光を入射させると、その一部が前記クラッド層を透過して前記光導波層に取り込まれる。そして、この光導波層において、導波モードが励起されると、前記光入射面における反射光が大きく減衰する。導波モードが励起される入射角は、ＳＰＲの共鳴角と同様に、センサ面上の媒質の屈折率に応じて変化する。この反射角の減衰を検出することにより、前記センサ面上の化学反応が測定される。
【図面の簡単な説明】
【００７８】
【図１】センサユニットの概略構成を示す分解斜視図である。
【図２】ＳＰＲ測定装置の構成を概略的に説明する説明図である。
【図３】流路部材を底面側から見た説明図である。
【図４】送液ヘッドの動作を説明する説明図である。
【図５】ＳＰＲ測定装置による測定の手順を概略的に示すフローチャートである。
【図６】各流路を斜めにした例を示す説明図である。
【図７】各流路をクランク状に屈曲させた例を示す説明図である。
【図８】各流路をくの字状に屈曲させた例を示す説明図である。
【図９】各流路をＳ字状に屈曲させた例を示す説明図である。
【図１０】流路部材の他の実施形態を示す外観斜視図である。
【図１１】流路部材の他の実施形態を示す断面図である。
【符号の説明】
【００７９】
１０  センサユニット
１２  流路部材（流路ブロック）
１２ａ  本体
１４  プリズム（誘電体ブロック）
１６  送液部（送液装置）
２０  流路
２０ａ  出入口
２０ｂ  出入口
２０ｃ  溝部
２１  流路
２１ａ  出入口
２１ｂ  出入口
２１ｃ  溝部
２５  金属膜（薄膜層）
２６  リンカー膜
３０  ＳＰＲ測定装置（全反射減衰を利用した測定装置）
４０  照明
４１  照明
４２  検出器
【図１】
0004607684.tif 000002
【図２】
0004607684.tif 000003
【図３】
0004607684.tif 000004
【図４】
0004607684.tif 000005
【図５】
0004607684.tif 000006
【図６】
0004607684.tif 000007
【図７】
0004607684.tif 000008
【図８】
0004607684.tif 000009
【図９】
0004607684.tif 000010
【図１０】
0004607684.tif 000011
【図１１】
0004607684.tif 000012